(57)【要約】　　　（修正有）【課題】モーターのレーテッドパワーを高め、モーターの内部の空間を節約し、さらにモーターの製造コストを低く抑えることができる並列式二相全波ブラシレス直流モーターを提供する。【解決手段】第一駆動素子２１は第一誘導素子２２と第一コイル２３まで連接され、第一誘導素子のホール信号に基づき第一コイルの第一電流の導通方向を制御して第一コイルに全波の励磁を発生させる。同時に、第二駆動素子２１aは第二誘導素子２２aと第二コイル２３aまで連接され、第二誘導素子のホール信号に基づき第二コイルの第二電流の導通方向を制御して第二コイルに全波の励磁を発生させる。第一駆動素子は第二駆動素子まで並列に連接されて第一コイルが第二コイルまで並列に連接されるため、同期に励磁を行うことができる。【選択図】　　図１
0003099863.tif 000002
【実用新案登録請求の範囲】
【請求項１】
　ローター（２ｃ）、ステータ（２ａ）、第一コイル（２３）、第二コイル（２３ａ）、第一誘導素子（２２）、第二誘導素子（２２ａ）、第一駆動素子（２１）および第二駆動素子（２１ａ）により構成される並列式二相全波ブラシレス直流モータであって、ローター（２ｃ）には少なくとも一組のＮ、Ｓの磁極を有するように形成され、ステータ（２ａ）には少なくとも一組のローター（２ｃ）の磁極に対応した磁極が設けられ、第一コイル（２３）はステータ（２ａ）に巻き付けられ、第二コイル（２３ａ）はステータ（２ａ）に巻き付けられると共に、第二コイル（２３ａ）は第一コイル（２３）まで並列され、第一誘導素子（２２）はローター（２ｃ）の磁極を検出するのに用いられることにより、第一ホール信号を発生させることができ、第二誘導素子（２２ａ）はローター（２ｃ）の磁極を検出するのに用いられることにより、第二ホール信号を発生させることができ、第一駆動素子（２１）は電源まで連接されると共に、再び第一コイル（２３）と第一誘導素子（２２）まで連接され、第一駆動素子（２１）は第一誘導素子（２２）の第一ホール信号に基づき第一コイル（２３）の第一電流の導通方向を制御することにより、全波の励磁を発生させることができ、第二駆動素子（２１ａ）は電源まで連接されると共に、再び第二コイル（２３ａ）と第二誘導素子（２２ａ）まで連接され、第二駆動素子（２１ａ）は第二誘導素子（２２ａ）の第二ホール信号に基づき第二コイル（２３ａ）の第二電流の導通方向を制御することにより、全波の励磁を発生させることができ、その内に第一コイル（２３）の第一電流と第二コイル（２３ａ）の第二電流は同期に全波の励磁を行うことにより、ローター（２ｃ）が回転するのを駆動することができることを特徴とする並列式二相全波ブラシレス直流モーター。
【請求項２】
　ステータ（２ａ）の下方には回路板（２ｂ）が設けられ、第一誘導素子（２２）と第二誘導素子（２２ａ）は回路板（２ｂ）に固設されることを特徴とする請求項１記載の並列式二相全波ブラシレス直流モーター。
【請求項３】
　第一誘導素子（２２）と第二誘導素子（２２ａ）がローター（２ｃ）の磁極を誘導して検出する位相差は０°、９０°、１８０°および２７０°を有するように形成されることを特徴とする請求項２記載の並列式二相全波ブラシレス直流モーター。
【請求項４】
　ローター（２ｃ）の磁極を検出する位相差が９０°および２７０°である時、第一コイル（２３）と第二コイル（２３ａ）の電流の導通方向を反対方向に制御することにより、第一コイル（２３）と第二コイル（２３ａ）には反対の励磁方向を有するように形成されることを特徴とする請求項３記載の並列式二相全波ブラシレス直流モーター。
【請求項５】
　ローター（２ｃ）の磁極を検出する位相差が０°および１８０°である時、第一コイル（２３）と第二コイル（２３ａ）の電流の導通方向を同じ方向に制御することにより、第一コイル（２３）と第二コイル（２３ａ）には一致の励磁方向を有するように形成されることを特徴とする請求項３記載の並列式二相全波ブラシレス直流モーター。
【請求項６】
　ローター（２ｃ）、ステータ（２ａ）、第一コイル（２３）、第二コイル（２３ａ）、第一誘導駆動素子（２１１）および第二誘導駆動素子（２１１ａ）により構成される並列式二相全波ブラシレス直流モータであって、ローター（２ｃ）には少なくとも一組のＮ、Ｓの磁極を有するように形成され、ステータ（２ａ）には少なくとも一組のローター（２ｃ）の磁極に対応した磁極が設けられ、第一コイル（２３）はステータ（２ａ）に巻き付けられ、第二コイル（２３ａ）はステータ（２ａ）に巻き付けられると共に、第二コイル（２３ａ）は第一コイル（２３）まで並列され、第一誘導駆動素子（２１１）は電源まで連接されると共に、再び第一コイル（２３）まで連接され、第一誘導駆動素子（２１１）は第一誘導駆動素子（２１１）の第一ホール信号に基づき第一コイル（２３）を通過する第一電流を制御し、第二誘導駆動素子（２１１ａ）は第一誘導駆動素子（２１１）と並列するように形成されると共に、再び電源および第二コイル（２３ａ）まで連接され、第二誘導駆動素子（２１１ａ）は第二誘導駆動素子（２１１ａ）の第二ホール信号に基づき第二コイル（２３）を通過する第二電流を制御し、その内に第一誘導駆動素子（２１１）と第二誘導駆動素子（２１１ａ）が同期に作動することにより、第一コイル（２３）の第一電流と第二コイル（２３ａ）の第二電流は同期に全波の励磁を行うことにより、ローター（２ｃ）が回転するのを駆動することができることを特徴とする並列式二相全波ブラシレス直流モーター。
【請求項７】
　ステータ（２ａ）の下方には回路板（２ｂ）が設けられ、第一誘導駆動素子（２１１）と第二誘導駆動素子（２１１ａ）は回路板（２ｂ）に固設されることを特徴とする請求項６記載の並列式二相全波ブラシレス直流モーター。
【請求項８】
　第一誘導駆動素子（２１１）と第二誘導駆動素子（２１１ａ）がローター（２ｃ）の磁極を誘導して検出する位相差は０°、９０°、１８０°および２７０°を有するように形成されることを特徴とする請求項６記載の並列式二相全波ブラシレス直流モーター。
【請求項９】
　ローター（２ｃ）の磁極を検出する位相差が９０°および２７０°である時、第一コイル（２３）と第二コイル（２３ａ）の電流の導通方向を反対方向に制御することにより、第一コイル（２３）と第二コイル（２３ａ）には反対の励磁方向を有するように形成されることを特徴とする請求項８記載の並列式二相全波ブラシレス直流モーター。
【請求項１０】
　ローター（２ｃ）の磁極を検出する位相差が０°および１８０°である時、第一コイル（２３）と第二コイル（２３ａ）の電流の導通方向を同じ方向に制御することにより、第一コイル（２３）と第二コイル（２３ａ）には一致の励磁方向を有するように形成されることを特徴とする請求項８記載の並列式二相全波ブラシレス直流モーター。
【考案の詳細な説明】
【技術分野】
【０００１】
　本考案は、並列式二相全波ブラシレス直流モーターに関するもので、特に両誘導駆動素子を利用して並列式二相全波ブラシレス直流モーターを制御することができる並列式二相全波ブラシレス直流モーターに係るものである。
【背景技術】
【０００２】
　従来の単相全波ブラシレス直流モーターとしては、図６に示すように、従来の単相全波ブラシレズ直流モーターには単相全波駆動回路１０が含まれ、単相全波駆動回路１０には駆動素子１１、誘導素子１２およびコイル１３が含まれる。駆動素子１１は誘導素子１２とコイル１３まで電気的に連接され、誘導素子１２のホール信号によりコイル１３の電流の導通方向を制御することができるため、コイル１３は二個の導通方向において全波の励磁に形成されてローターが回転するのを駆動することができるようにとしたものがある。
【考案の開示】
【考案が解決しようとする課題】
【０００３】
　上記のような従来の単相全波ブラシレス直流モーターにおいて、駆動素子１１のレーテッドパワー／電流と体積の変化率は非線性である。言い換えれば、駆動素子１１のレーテッドパワーが一倍に増えた時、駆動素子１１の体積も一倍以上に増やされる。このように、駆動素子１１のレーテッドパワーを上げた時、駆動素子１１はモーター内部の空間を過大に占めてしまうという問題点があった。さらに、大きいレーテッドパワーの駆動素子の製造コストもかなり高くなり、二個の小さいレーテッドパワーの駆動素子の製造コストを超えているため、大きいレーテッドパワーの駆動素子には製造コストが高くなるという問題点があった。また、モーターの内部空間と製造コストを節約するべく、駆動素子１１のレーテッドパワーを増やさなければならない時には、もう一つの小さいレーテッドパワーの誘導駆動素子を増設するだけで、誘導駆動素子１１のレーテッドパワーを上げることができると共に、製造コストを低く抑えることができる。同時に、単相全波コイルを二相全波コイルに分けて両駆動素子の駆動に適用させることができる。製造時において二相全波コイルの体積と単相全波コイルの体積とは同じであるため、二相全波コイルではモーターの体積を増やすことがない。
【０００４】
　本考案はこのような問題点に鑑みて考案したものであって、その目的とするところは、二個の小さいレーテッドパワーの誘導駆動素子を利用して並列式二相全波のコイルを制御し、すなわち二個の小さいレーテッドパワーの駆動素子と並列式二相全波のコイルを大きいレーテッドパワーの誘導素子と単相全波のコイルの代わりとして、小さいレーテッドパワーの駆動素子には体積が小さくかつコストが低いという特性を有しているため、モーターのレーテッドパワーを高め、モーターの内部の空間を節約し、さらにモーターの製造コストを低く抑えることができ、さらに使用上の需要性に応じて小さいレーテッドパワーの駆動素子の数（モーターの磁極数より多くなってはいけない）を拡充することができる並列式二相全波ブラシレス直流モーターを提供しようとするものである。
【０００５】
　本考案の第一の目的は、二個の駆動素子を利用して並列式二相全波のコイルを制御することにより、モーターのレーテッドパワーを高めることができる並列式二相全波ブラシレス直流モーターを提供しようとするものである。
【０００６】
　本考案の第二の目的は、二個の駆動素子を利用して並列式二相全波のコイルを制御することにより、駆動素子には体積が小さくかつコストが低いという特性を有しているため、モーターの内部の空間を節約し、さらにモーターの製造コストを低く抑えることができる並列式二相全波ブラシレス直流モーターを提供しようとするものである。
【０００７】
　本考案の第三の目的は、並列式二相全波のコイルを有することにより、一方の単相全波のコイルが短絡された時、他方の単相全波のコイルは励磁し続けるため、モーターの回転は中断することがない並列式二相全波ブラシレス直流モーターを提供しようとするものである。
【課題を解決するための手段】
【０００８】
　上記目的を達成するために、本考案による並列式二相全波ブラシレス直流モーターは、下記のようになるものである。すなわち、
ローター、ステータ、第一コイル、第二コイル、第一誘導素子、第二誘導素子、第一駆動素子および第二駆動素子により構成される。ローターには少なくとも一組のＮ、Ｓの磁極を有するように形成される。ステータには少なくとも一組のローターの磁極に対応した磁極が設けられる。第一コイルはステータに巻き付けられる。第二コイルはステータに巻き付けられると共に第一コイルまで並列される。第一誘導素子はローターの磁極を検出するのに用いられることにより、第一ホール信号を発生させることができる。第二誘導素子はローターの磁極を検出するのに用いられることにより、第二ホール信号を発生させることができる。第一駆動素子は電源まで連接されると共に、再び第一コイルと第一誘導素子まで連接され、第一駆動素子は第一誘導素子の第一ホール信号に基づき第一コイルの第一電流の導通方向を制御することにより、全波の励磁を発生させることができる。第二駆動素子は電源まで連接されると共に、再び第二コイルと第二誘導素子まで連接され、第二駆動素子は第二誘導素子の第二ホール信号に基づき第二コイルの第二電流の導通方向を制御することにより、全波の励磁を発生させることができる。その内に第一コイルの第一電流と第二コイルの第二電流は同期に全波の励磁を行うことにより、ローターが回転するのを駆動することができる。
【０００９】
　本考案による並列式二相全波ブラシレス直流モーターは、ステータの下方には回路板が設けられ、第一誘導素子と第二誘導素子は回路板に固設されることもできる。また、第一誘導素子と第二誘導素子がローターの磁極を誘導して検出する位相差は０°、９０°、１８０°および２７０°を有するように形成されることもできる。また、ローターの磁極を検出する位相差が９０°および２７０°である時、第一コイルと第二コイルの電流の導通方向を反対方向に制御することにより、第一コイルと第二コイルには反対の励磁方向を有するように形成されることもできる。また、ローターの磁極を検出する位相差が０°および１８０°である時、第一コイルと第二コイルの電流の導通方向を同じ方向に制御することにより、第一コイルと第二コイルには一致の励磁方向を有するように形成されることもできる。
【００１０】
　また、本考案による並列式二相全波ブラシレス直流モーターは、ローター、ステータ、第一コイル、第二コイル、第一誘導駆動素子および第二誘導駆動素子により構成される。ローターには少なくとも一組のＮ、Ｓの磁極を有するように形成される。ステータには少なくとも一組のローターの磁極に対応した磁極が設けられる。第一コイルはステータに巻き付けられる。第二コイルはステータに巻き付けられると共に、第一コイルまで並列される。第一誘導駆動素子は電源まで連接されると共に、再び第一コイルまで連接され、第一誘導駆動素子は第一誘導駆動素子の第一ホール信号に基づき第一コイルを通過する第一電流を制御する。第二誘導駆動素子は第一誘導駆動素子と並列するように形成されると共に、再び電源および第二コイルまで連接され、第二誘導駆動素子の第二ホール信号に基づき第二コイルを通過する第二電流を制御する。その内に第一誘導駆動素子と第二誘導駆動素子が同期に作動することにより、第一コイルの第一電流と第二コイルの第二電流は同期に全波の励磁を行うことにより、ローターが回転するのを駆動することができる。
【００１１】
　本考案による並列式二相全波ブラシレス直流モーターは、ステータの下方には回路板が設けられ、第一誘導駆動素子と第二誘導駆動素子は回路板に固設されることもできる。また、第一誘導駆動素子と第二誘導駆動素子がローターの磁極を誘導して検出する位相差は０°、９０°、１８０°および２７０°を有するように形成されることもできる。また、ローターの磁極を検出する位相差が９０°および２７０°である時、第一コイルと第二コイルの電流の導通方向を反対方向に制御することにより、第一コイルと第二コイルには反対の励磁方向を有するように形成されることもできる。また、ローターの磁極を検出する位相差が０°および１８０°である時、第一コイルと第二コイルの電流の導通方向を同じ方向に制御することにより、第一コイルと第二コイルには一致の励磁方向を有するように形成されることもできる。
【考案の効果】
【００１２】
　本考案の並列式二相全波ブラシレス直流モーターによれば、二個の駆動素子を利用して並列式二相全波のコイルを制御することにより、モーターのレーテッドパワーを高めることができるという利点がある。
【００１３】
　本考案の並列式二相全波ブラシレス直流モーターによれば、二個の駆動素子を利用して並列式二相全波のコイルを制御することにより、駆動素子は体積が小さくかつコストが低いという特性を有しているため、モーターの内部の空間を節約し、さらにモーターの製造コストを低く抑えることができるという利点がある。
【００１４】
　本考案の並列式二相全波ブラシレス直流モーターによれば、並列式二相全波のコイルを有することにより、一方の単相全波のコイルが短絡された時、他方の単相全波のコイルは励磁し続けるため、モーターの回転は中断することがないという利点がある。
【考案を実施するための最良の形態】
【００１５】
　本考案の実施の形態について、以下、図面を参照して説明する。
【実施例１】
【００１６】
　図１は本考案の実施例１の並列式二相全波ブラシレス直流モータによる回路図で、図２は本考案の実施例１の並列式二相全波ブラシレス直流モータによる断面図である。
【００１７】
　図１、２を参照すると、本考案の実施例１の並列式二相全波駆動回路２０には第一駆動素子２１、第二駆動素子２１ａ、第一誘導素子２２、第二誘導素子２２ａ、第一コイル２３および第二コイル２３ａが含まれる。
【００１８】
　再び図１を参照すると、第一駆動素子２１と第二駆動素子２１ａは好ましくは同じレーテッドパワーを有するように形成される。また、第一コイル２３と第二コイル２３ａは好ましくは同じ抵抗を有するように形成される。
【００１９】
　再び図２を参照すると、並列式二相全波ブラシレス直流モーター２にはステータ２ａ、回路板２ｂおよびローター２ｃが含まれる。ステータ２ａは第一コイル２３と第二コイル２３ａを共同で巻き付けて二相コイル組として形成するのに用いられる。回路板２ｂには並列式二相全波駆動回路２０が設けられ、回路板２ｂに第一駆動素子２１、第二駆動素子２１ａ、第一誘導素子２２と第二誘導素子２２ａを載置することができるため、第一誘導素子２２と第二誘導素子２２ａはローター２ｃの磁極を誘導して検出することにより、ホール信号をそれぞれ第一駆動素子２１と第二駆動素子２１ａまで出力することができる。
【００２０】
　再び図２を参照すると、回路板２ｂにおいて第一誘導素子２２と第二誘導素子２２ａは例えば異なる位置に設置されるため、ローター２ｃの磁極を誘導して検出する位相差は０°、９０°、１８０°および２７０°を有するように形成される。
【００２１】
　再び図１を参照すると、第一誘導素子２２と第二誘導素子２２ａのローター２ｃの磁極を検出する位相差が０°および１８０°である。第一駆動素子２１の二個の端子OUT1とOUT2の配置は第二駆動素子２１ａの二個の端子OUT1とOUT2の配置とは対応になるように形成され、第一コイル２３と第二コイル２３ａの電流の導通方向が一致になるように制御されることにより、第一コイル２３と第二コイル２３ａは同じ励磁方向を有するように形成されるため、ローター２ｃを駆動することができる。
【００２２】
　再び図１を参照すると、第一駆動素子２１と第二駆動素子２１ａは共同で電源Ｖｃｃまで連接される。第一駆動素子２１は第一誘導素子２２と第一コイル２３まで連接され、第一駆動素子２１は第一誘導素子２２のホール信号に基づき第一コイル２３の電流の導通方向を制御することにより、第一コイル２３から全波の励磁が発生される。また、第二駆動素子２１ａは第二誘導素子２２ａと第二コイル２３ａまで連接され、第二駆動素子２１ａは第二誘導素子２２ａのホール信号に基づき第二コイル２３ａの電流の導通方向を制御することにより、第二コイル２３ａから全波の励磁が発生される。第一駆動素子２１は第二駆動素子２１ａまで並列に連接されることにより、第一コイル２３は第二コイル２３ａまで並列に連接されるため、同期に励磁を行うことができる。
【００２３】
　モーターが回転された時、第一誘導素子２２と第二誘導素子２２ａは共同でローター２ｃの同じ磁極（Ｎ極またはＳ極）を誘導して検出する。それによって、第一駆動素子２１と第二駆動素子２１ａは第一コイル２３と第二コイル２３ａの電流の交替の導通方向を決定することにより、第一コイル２３と第二コイル２３ａは交替に導通するように形成される。
【００２４】
　第一コイルが第一駆動素子２１を経て第一電流Ｉ１の交替の導通が行われた時、第二コイル２３ａは同期に第二駆動素子２１ａを経て第二電流Ｉ２の交替の導通が行われる。例えば、第一コイル２３または第二コイル２３ａの内の一つが電流の導通を行うことができない場合、並列式二相全波駆動回路２０によって第二コイル２３ａまたは第一コイル２３が電流の交替の導通を行い続けるのを保留することができるため、モーターの回転が中断するのを避けることができる。
【００２５】
　第一コイル２３と第二コイル２３ａが同期に第一駆動素子２１と第二駆動素子２１ａを経て電流Ｉ１と電流Ｉ２の交替の導通が行われた時、並列式二相全波駆動回路２０は二個の電流Ｉ１とＩ２を有し、それぞれ第一コイル２３と第二コイル２３ａにおいて交替の導通を行うため、モーターのレーテッドパワーを高めることができる。例えば、単相全波ブラシレス直流モーターのレーテッドパワーが５００ｍＷで、レーテッド電流が７００ｍＡであると、本考案の二相全波ブラシレス直流モーターによれば、レーテッドパワーを１０００ｍＷに、レーテッド電流を１４００ｍＡに上げることができる。
【実施例２】
【００２６】
　図３は本考案の実施例２の並列式二相全波ブラシレス直流モータによる回路図である。
【００２７】
　図３を参照すると、本考案の実施例２の並列式二相全波ブラシレス直流モーターは実施例１の並列式二相全波ブラシレス直流モーターに対応するように設置されるため、本考案における両者の差異を分かり易くするため、両者の同じ部分は同じ符号を採用して標示する。また、実施例２の一部分の技術内容は実施例１の説明内容に掲示されているため、ここでは参考にして再び詳細に説明しない。
【００２８】
　図３を参照すると、本考案の実施例２の並列式二相全波駆動回路２０には第一誘導駆動素子２１１、第二誘導駆動素子２１１ａ、第一コイル２３および第二コイル２３ａが含まれる。本考案の実施例１と比較し、本考案の実施例２の第一、第二誘導駆動素子２１１、２１１ａは一個の誘導素子を一個の駆動素子に組み入れてなるものである。
【実施例３】
【００２９】
　図４は本考案の実施例３の並列式二相全波ブラシレス直流モータによる回路図である。
【００３０】
　図４を参照すると、本考案の実施例３の並列式二相全波ブラシレス直流モーターは実施例１の並列式二相全波ブラシレス直流モーターに対応するように設置されるため、本考案における両者の差異を分かり易くするため、両者の同じ部分は同じ符号を採用して標示する。また、実施例３の一部分の技術内容は実施例１の説明内容に掲示されているため、ここでは参考にして再び詳細に説明しない。
【００３１】
　再び図４を参照すると、本考案の実施例３における第一誘導素子２２と第二誘導素子２２ａのローター２ｃの磁極を検出する位相差が９０°および２７０°である。実施例１と比較し、本考案の実施例３の第二駆動素子２１２ａと第二コイル２３ａの連接関係は第一駆動素子２１２と第二コイル２３の連接関係とは反対になるように形成される。すなわち、第一駆動素子２１２の二個の端子OUT1とOUT2の配置は第二駆動素子２１２ａの二個の端子OUT1とOUT2の配置とは反対になるように形成され、第一コイル２３と第二コイル２３ａの電流の導通方向が反対になるように制御されることにより、第一コイル２３と第二コイル２３ａは反対の励磁方向を有するように形成されるため、ローター２ｃを駆動することができる。
【実施例４】
【００３２】
　図５は本考案の実施例４の並列式二相全波ブラシレス直流モータによる回路図である。
【００３３】
　図５を参照すると、本考案の実施例４の並列式二相全波ブラシレス直流モーターは実施例１の並列式二相全波ブラシレス直流モーターに対応するように設置されるため、本考案における両者の差異を分かり易くするため、両者の同じ部分は同じ符号を採用して標示する。また、実施例４の一部分の技術内容は実施例１の説明内容に掲示されているため、ここでは参考にして再び詳細に説明しない。
【００３４】
　図５を参照すると、本考案の実施例４の並列式二相全波駆動回路２０には第一誘導駆動素子２１３、第二誘導駆動素子２１３ａ、第一コイル２３および第二コイル２３ａが含まれる。本考案の実施例３と比較し、本考案の実施例４の第一、第二誘導駆動素子２１３、２１３ａは一個の誘導素子を一個の駆動素子に組み入れてなるものである。
【産業上の利用可能性】
【００３５】
　上述の如く、図６に示す従来の単相全波ブラシレス直流モーターによれば、モーターのレーテッドパワーを上げる時、モーターの体積が増え、製造コストが高くなるという問題点があったが、本考案の並列式二相全波ブラシレス直流モーターによれば、駆動素子２１ａを増設することにより、モーターの内部の空間を節約することができると共に、モーターの製造コストを低く抑えることができる。
【００３６】
　本考案は、その精神及び必須の特徴事項から逸脱することなく他のやり方で実施することができる。従って、本明細書に記載した好ましい実施例は例示的なものであり、限定的なものではない。
【図面の簡単な説明】
【００３７】
【図１】本考案の実施例１の並列式二相全波ブラシレス直流モータによる回路図である。
【図２】本考案の実施例１の並列式二相全波ブラシレス直流モータによる断面図である。
【図３】本考案の実施例２の並列式二相全波ブラシレス直流モータによる回路図である。
【図４】本考案の実施例３の並列式二相全波ブラシレス直流モータによる回路図である。
【図５】本考案の実施例４の並列式二相全波ブラシレス直流モータによる回路図である。
【図６】従来の単相全波ブラシレス直流モータによる回路図である。
【符号の説明】
【００３８】
　　　１０　　単相全波駆動回路　　　　　　　　　１１　　駆動素子
　　　１２　　誘導素子　　　　　　　　　　　　　１３　　コイル
　　　　２　　並列式二相全波ブラシレス直流モーター
　　　　２ａ　　ステータ　　　　　　　　　　　　　２ｂ　　回路板
　　　　２ｃ　　ローター
　　　２０　　並列式二相全波駆動回路　　　　　　２１　　第一駆動素子
　　　２１ａ　　第二駆動素子　　　　　　　　　２１１　　第一誘導駆動素子
　　２１１ａ　第二誘導駆動素子　　　　　　　　２１２　　第一誘導素子
　　２１２ａ　第二誘導素子　　　　　　　　　　２１３　　第一誘導駆動素子
　　２１３ａ　第二誘導駆動素子　　　　　　　　　２２　　第一誘導素子
　　　２２ａ　　第二誘導素子　　　　　　　　　　２３　　第一コイル
　　　２３ａ　　第二コイル
【図１】
0003099863.tif 000003
【図２】
0003099863.tif 000004
【図３】
0003099863.tif 000005
【図４】
0003099863.tif 000006
【図５】
0003099863.tif 000007
【図６】
0003099863.tif 000008